(57)【要約】【課題】アイソレーションの低下がなく、かつ送信時の送信損失を小さくすることができる送受信制御装置を提供する。【解決手段】複数の誘電体層を積層してなる積層体の表面に、アンテナ端子ＡＮＴ、送信端子Ｔｘ、受信端子Ｒｘ、電圧制御端子Ｖｃ及びグランド端子Ｇ２を設けるとともに、前記積層体の上面及び内部にアンテナ端子ＡＮＴ−送信端子Ｔｘ間に接続される第１スイッチ回路ＳＷ１とアンテナ端子ＡＮＴ−受信端子Ｒｘ間に接続される第２スイッチ回路ＳＷ２とを設け、該第２スイッチ回路ＳＷ２を、送信信号の波長の１／４の線路長を有する伝送線路ＳＬ１と、スイッチングダイオードＤ２と、該スイッチングダイオードＤ２にＲＣ並列回路を介して電気的に接続されるグランド電極パターンとで構成し、前記ＲＣ並列回路を積層体内に埋設した異なるビアホール導体Ｌ３−１、Ｌ３−２を介してグランド電極パターンに接続する。【選択図】図１
2004260624.tif 000002
【特許請求の範囲】
【請求項１】
複数の誘電体層を積層してなる積層体の表面に、アンテナ端子、送信端子、受信端子、電圧制御端子及びグランド端子を設けるとともに、前記積層体の上面及び内部にアンテナ端子−送信端子間に接続される第１スイッチ回路とアンテナ端子−受信端子間に接続される第２スイッチ回路とを設けてなり、前記第１スイッチ回路、第２スイッチ回路のオン・オフを制御し、アンテナ−送信回路間の接続とアンテナ−受信回路間の接続とを切り替えることによって送信信号・受信信号を交互に送受信する送受信制御装置であって、
前記第２スイッチ回路は、前記積層体の内部もしくは表面に設けられ、送信信号の波長の１／４の線路長を有する伝送線路と、前記積層体の表面に搭載されるスイッチングダイオードと、前記積層体の内部もしくは下面に設けられ、前記スイッチングダイオードにコンデンサ及び抵抗からなるＲＣ並列回路を介して電気的に接続されるグランド電極パターンとを含んで構成されており、
前記ＲＣ並列回路を構成するコンデンサ及び抵抗が、前記積層体内に埋設された異なるビアホール導体、もしくは、前記積層体の端面に設けられる異なる端面スルーホール導体を介して前記グランド電極パターンに対し相互に独立して接続されることを特徴とする送受信制御装置。
【発明の詳細な説明】
【０００１】
【発明の属する技術分野】
本発明は、携帯電話等の通信機器に組み込まれ、信号経路の切り替えを行うのに用いられる送受信制御装置に関するものである。
【０００２】
【従来の技術】
従来より、送受信制御装置は、通信機器等において送信信号及び受信信号の送受信を交互に切り替えるために用いられている。
【０００３】
図６は従来の送受信制御装置の分解斜視図であり、図７、図８は従来の送受信制御装置の一例を示す等価回路図である。図７、図８に示す送受信制御装置は、アンテナ端子ＡＮＴ、送信端子Ｔｘ、受信端子Ｒｘを備えており、前記送信端子Ｔｘとアンテナ端子ＡＮＴとの間にスイッチングダイオードＤ２を備える第１スイッチ回路ＳＷ１を、前記受信端子Ｒｘとアンテナ端子ＡＮＴとの間に伝送線路ＳＬ１を接続するとともに、前記伝送線路ＳＬ１の受信端子Ｒｘ側端部とグランド電位との間にスイッチングダイオードＤ１を接続した第２スイッチ回路ＳＷ２を備えた構造となっている（例えば、特許文献１参照。）。
【０００４】
従来の送受信制御装置においては、図６、図７に示すように、受信端子Ｒｘ側の第２スイッチ回路ＳＷ２において、スイッチングダイオードＤ１のアノードに接続されるコンデンサＣ５と抵抗Ｒ１を同一のビアホール導体Ｌ２でグランド電極パターンＧ１に接続していた。
【０００５】
以下、上述した送受信制御装置を用いて送信信号と受信信号の送受信を切り替える際の回路動作について説明する。
【０００６】
まず、送信信号の送信時には、電圧制御端子Ｖｃから、スイッチングダイオードＤ１、Ｄ２に対して順バイアス（電圧制御端子Ｖｃからの制御信号がハイレベル）をかけ、スイッチングダイオードＤ１、Ｄ２をオンにする。このときスイッチングダイオードＤ２がオンになることで、送信端子Ｔｘを介して入力された送信信号はアンテナ端子ＡＮＴに送出される。一方、スイッチングダイオードＤ１がオンになり、スイッチングダイオードＤ１のオン時のインダクタンス成分とアノードに接続されたコンデンサＣ５と抵抗Ｒ１による並列共振回路により送信信号の送信周波数で直列共振し、その結果、送信周波数のλ／４の線路長をもつ伝送線路ＳＬ１によりアンテナ端子ＡＮＴから受信端子Ｒｘ側をみた場合、高インピーダンスとなり、送信信号の受信端子Ｒｘ側への侵入を阻止することになる。
【０００７】
また、受信信号の受信時には、電圧制御端子Ｖｃに制御電圧が印加されず（電圧制御端子Ｖｃからの制御信号がローレベル）、スイッチングダイオードＤ１、Ｄ２は共にオフとなる。従って、アンテナ端子ＡＮＴより入力された受信信号は送信端子Ｔｘ側には送出されずに伝送線路ＳＬ１を通過して受信端子Ｒｘ側へ送出される。
【０００８】
このように、電圧制御端子Ｖｃからの制御電圧によりスイッチングダイオードＤ１、Ｄ２のオン・オフを制御するとともに、伝送線路ＳＬ１をショートスタブ状態にすることにより送信信号と受信信号の送受信が切り替えられる。
【０００９】
【特許文献１】
特開２００２−３３６７８号公報
【００１０】
【発明が解決しようとする課題】
ところで、上述した従来の送受信制御装置においては、送信時においてアンテナ端子ＡＮＴから、受信端子Ｒｘへのアイソレーション及び送信端子Ｔｘから受信端子Ｒｘへのアイソレーションの低下によって受信端子Ｒｘに不要信号が印加される為、携帯端末の誤動作の発生や、送信時のアンテナ端子−送信端子間の送信損失が大きくなることがあった。
【００１１】
本発明は上述の問題点を鑑みて案出されたものであり、その目的は、送信時のアンテナ端子ＡＮＴから受信端子Ｒｘへのアイソレーション及び送信端子Ｔｘから受信端子Ｒｘへのアイソレーションの低下がなく、かつ送信時のアンテナ端子−送信端子間の送信損失を小さくすることができる送受信制御装置を提供することにある。
【００１２】
【課題を解決するための手段】
本発明の送受信制御装置は、複数の誘電体層を積層してなる積層体の表面に、アンテナ端子、送信端子、受信端子、電圧制御端子及びグランド端子を設けるとともに、前記積層体の上面及び内部にアンテナ端子−送信端子間に接続される第１スイッチ回路とアンテナ端子−受信端子間に接続される第２スイッチ回路とを設けてなり、前記第１スイッチ回路、第２スイッチ回路のオン・オフを制御し、アンテナ−送信回路間の接続とアンテナ−受信回路間の接続とを切り替えることによって送信信号・受信信号を交互に送受信する送受信制御装置であって、前記第２スイッチ回路は、前記積層体の内部もしくは表面に設けられ、送信信号の波長の１／４の線路長を有する伝送線路と、前記積層体の表面に搭載されるスイッチングダイオードと、前記積層体の内部もしくは下面に設けられ、前記スイッチングダイオードにコンデンサ及び抵抗からなるＲＣ並列回路を介して電気的に接続されるグランド電極パターンとを含んで構成されており、前記ＲＣ並列回路を構成するコンデンサ及び抵抗が、前記積層体内に埋設された異なるビアホール導体、もしくは、前記積層体の端面に設けられる異なる端面スルーホール導体を介して前記グランド電極パターンに対し相互に独立して接続されることを特徴とするものである。
【００１３】
本発明の送受信制御装置によれば、受信時においては、スイッチングダイオードＤ１、Ｄ２をオフとし、アンテナ端子ＡＮＴから入力された受信信号は伝送線路ＳＬ１を介して受信端子Ｒｘにほとんど損失なく伝送される。
【００１４】
また、送信時においては、スイッチングダイオードＤ１、Ｄ２をオンとし、アンテナ端子から受信端子間の送信信号のλ／４の線路長をもつ伝送線路ＳＬ１がショートスタブとして働き、送信信号は受信側に漏れないはずである。但し現実にはスイッチングダイオードＤ２からグランド端子と受信端子Ｒｘ負荷側の合成インピーダンスが完全にはゼロにできず伝送線路ＳＬ１は完全なショートスタブとはならない。
【００１５】
ここでスイッチングダイオードＤ１とグランド電極パターンＧ１間にあるコンデンサＣ５からグランド電極パターンＧ１へのビアホール導体Ｌ３−１とスイッチングダイオードＤ１とグランド電極パターンＧ１間にある抵抗Ｒ１からグランド電極パターンＧ１へのビアホール導体Ｌ３−２とを相互に独立して形成しているため、送信周波数において、アンテナ端子ＡＮＴ−受信端子Ｒｘ間に接続される第２スイッチ回路ＳＷ２のスイッチングダイオードＤ１とコンデンサＣ５及び抵抗Ｒ１による並列共振回路による共振抵抗（受信端子Ｒｘ負荷側の合成インピーダンス（図３のＢ点））を小さくできる。特に、コンデンサＣ５、抵抗Ｒ１の一端は、従来回路基板上でスイッチングダイオードＤ１につながる共通電極パターンに接続され、他端は別の共通電極パターンに接続されたあとビアホール導体Ｌ２を経由してグランド電極パターンＧ１に落としていたが、本発明では、コンデンサＣ５、抵抗Ｒ１の他端のそれぞれの直下でグランド電極パターンＧ１に接続することにより共振抵抗を効果的にひき下げることができる。
【００１６】
そのため、送信信号のλ／４の線路長をもつ伝送線路ＳＬ１がいわゆるショートスタブとして機能することにより図３のＡ点から受信端子Ｒｘ側を見たとき高インピーダンスとなり受信端子Ｒｘから切り離された状態になる。
【００１７】
これにより送信時における送信信号のアンテナ端子ＡＮＴから受信端子Ｒｘへのアイソレーション及び送信端子Ｔｘから受信端子Ｒｘへのアイソレーションが極大になる。このため送信時のアンテナ端子ＡＮＴ−送信端子Ｔｘ間の送信損失を小さくすることが可能となる。
【００１８】
よって本発明の送受信制御装置は、アンテナ端子ＡＮＴ−受信端子Ｒｘ間に接続される第２スイッチ回路ＳＷ２のスイッチングダイオードＤ１とグランド電極パターンＧ１間にあるコンデンサＣ５からグランド電極パターンＧ１へのビアホール導体Ｌ３−１とスイッチングダイオードＤ１とグランド電極パターンＧ１間にある抵抗Ｒ１からグランド電極パターンＧ１へのビアホール導体Ｌ３−２とを相互に独立して形成することによって送信時のアンテナ端子ＡＮＴから受信端子Ｒｘへのアイソレーション及び送信端子Ｔｘから受信端子Ｒｘへのアイソレーションを大きくでき、かつ送信時のアンテナ端子ＡＮＴ−送信端子間Ｔｘの送信損失を小さくすることができる。
【００１９】
【発明の実施の形態】
以下、本発明を添付図面に基づいて詳細に説明する。
図１は、本発明の一実施形態に係る送受信制御装置の分解斜視図、図２は本発明の送受信制御装置のブロックダイヤグラム、図３は図１に示す送受信制御装置の等価回路図、図４は本発明の送受信制御装置の主要部分であるアンテナ端子ＡＮＴ−受信端子Ｒｘ間の第２スイッチ回路ＳＷ２の等価回路図である。図３は本発明の送受信制御装置をＤＣＳ（Ｄｉｇｉｔａｌ  Ｃｏｍｍｕｎｉｃａｔｉｏｎ  Ｓｙｓｔｅｍ）通信方式（送信周波数帯域：１７１０〜１７８５ＭＨｚ、受信周波数帯域：１８０５〜１８８０ＭＨｚ）用の送受信制御装置に適用した実施形態を示す等価回路図であり、図３に示す送受信制御装置は、概略的に、アンテナ端子ＡＮＴ−送信端子Ｔｘ間に接続される第１スイッチ回路ＳＷ１と、アンテナ端子ＡＮＴ−受信端子Ｒｘ間に接続される第２スイッチ回路ＳＷ２で構成されている。
【００２０】
第１スイッチ回路ＳＷ１は、スイッチングダイオードＤ２から成り、そのアノードは二つに分岐し、その一方はローパスフィルタＬＰＦ、コンデンサＣ１を介して送信端子Ｔｘに、他方はコイルＬ１を介して分岐され一方は電圧制御端子Ｖｃに接続され、他方はコンデンサＣ４を介してグランド電位に接続されている。また、カソードはコンデンサＣ２を介してアンテナ端子ＡＮＴに接続される。
【００２１】
この第１スイッチ回路ＳＷ１は、電圧制御端子Ｖｃを介して入力される制御信号によってスイッチング動作が制御される。即ち、送信時に制御信号がハイレベルになると第１スイッチ回路ＳＷ１がオン状態となり、アンテナ端子ＡＮＴと送信端子Ｔｘとが電気的に接続される。また、受信時に制御信号がローレベルになると第１スイッチ回路ＳＷ１はオフ状態となり、アンテナ端子ＡＮＴと送信端子Ｔｘとを電気的に遮断する。
【００２２】
一方、第２スイッチ回路ＳＷ２は、受信端子Ｒｘとアンテナ端子ＡＮＴとの間に接続される伝送線路ＳＬ１及び該伝送線路ＳＬ１の受信端子Ｒｘ側端部とグランド電位との間に接続されるスイッチングダイオードＤ１を組み合わせて成り、スイッチングダイオードＤ１のアノードはコンデンサＣ３を介して受信端子Ｒｘに接続され、そのカソードは２つに分岐され、一方はコンデンサＣ５、コイルＬ３−１を介してグランド電位に接続され、他方は抵抗Ｒ１、コイルＬ３−２を介してグランド電位に接続される（スイッチングダイオードＤ１の端子間容量は例えば０．１５ｐＦ、その高周波順抵抗は例えば１．２Ω、またコンデンサＣ５の容量は例えば４．７ｐＦ、抵抗Ｒ１は例えば１５０Ωに設定される。また、コイルＬ３−１、コイルＬ３−２の値はビアホール導体の長さで決定され例えば０．８ｎＨ程度である。）。
【００２３】
ここで、伝送線路ＳＬ１の長さは送信周波数のλ／４となるような長さに設定される。
【００２４】
この第２スイッチ回路ＳＷ２は、先に述べた制御信号によって第１スイッチ回路ＳＷ１のオン・オフ状態とは逆の状態になるよう制御される。即ち、送信時に制御信号がハイレベルになると第２スイッチ回路ＳＷ２がオフ状態となり、アンテナ端子ＡＮＴと受信端子Ｒｘとを電気的に遮断する。また、受信時に制御信号がローレベルになると第２スイッチ回路ＳＷ２がオン状態となり、アンテナ端子ＡＮＴと受信端子Ｒｘとが電気的に接続される。
【００２５】
このように、制御信号がハイレベルのときは第１スイッチ回路ＳＷ１がオン、第２スイッチ回路ＳＷ２がオフ状態となり、制御信号がローレベルのときは第１スイッチ回路ＳＷ１がオフ、第２スイッチ回路ＳＷ２がオン状態となる。
【００２６】
このような送受信制御装置において、本発明の特徴的なところは図１に示すようにアンテナ端子ＡＮＴ−受信端子Ｒｘ間に接続される第２スイッチ回路ＳＷ２において、コンデンサＣ５と抵抗Ｒ１のグランド電極パターンＧ１へ接続するためのビアホール導体Ｌ３−１、Ｌ３−２を相互に独立して形成していることである。即ち、コンデンサＣ５はビアホール導体Ｌ３−１によりグランド電極パターンＧ１に接続され、抵抗Ｒ１はビアホール導体Ｌ３−２によりグランド電極パターンＧ１に接続されている。
【００２７】
【実施例】
次に本発明の実施例について説明する。
図４には本発明のアンテナ端子ＡＮＴ−受信端子Ｒｘ間の第２スイッチ回路ＳＷ２の等価回路図を示す。図４において、スイッチングダイオードＤ１のオン抵抗を１．２［Ω］，オン時のインダクタンス値を１．０［ｎＨ］とし、また伝送線路ＳＬ１の特性インピーダンスを５０［Ω］、抵抗Ｒ１を１５０［Ω］、コンデンサＣ５を４．７［ｐＦ］、Ｌ３−１およびＬ３−２を０．８［ｎＨ］とした場合、ＤＣＳの送信周波数（１７１０−１７８５ＭＨｚ）でのＰ１（ＡＮＴ）からＰ３（Ｒｘ）へのアイソレーション、及び、Ｐ１（ＡＮＴ）からＰ２（Ｔｘ）への送信損失を回路シュミレーションした結果、アイソレーション２７．４８１［ｄＢ］、送信損失０．１７１［ｄＢ］となった。また、ビアホール導体の長さを２倍としＬ３−１及ぶＬ３−２を１．６［ｎＨ］とした場合、ＤＣＳの送信周波数（１７１０−１７８５ＭＨｚ）に共振周波数をもつためのコンデンサＣ５の値は３．２［ｐＦ］となり、この場合の回路シュミレーション結果はＰ１（ＡＮＴ）からＰ３（Ｒｘ）へのアイソレーションが２７．４３１［ｄＢ］であり、Ｐ１（ＡＮＴ）からＰ２（Ｔｘ）への送信損失は０．１８２［ｄＢ］となった。これより、ビアホール導体の長さをそれぞれ２倍（実質的にはＬ値をそれぞれ２倍）とした場合、アイソレーションが０．０５［ｄＢ］、送信損失が０．０１１［ｄＢ］低下したことがわかる。
【００２８】
また、比較例として従来の送受信制御装置の等価回路を図７、図８に示す。
【００２９】
図６において、ダイオードＤ１のオン抵抗を１．２［Ω］，オン時のインダクタンス値を１．０［ｎＨ］とし、また伝送線路ＳＬ１の特性インピーダンスを５０［Ω］、抵抗Ｒ１を１５０［Ω］、コンデンサＣ５を４．７［ｐＦ］、Ｌ２を０．８［ｎＨ］とした場合、ＤＣＳ送信周波数（１７１０−１７８５ＭＨｚ）でのＰ１（ＡＮＴ）からＰ３（Ｒｘ）へのアイソレーション及びＰ１（ＡＮＴ）からＰ２（Ｔｘ）への送信損失を回路シュミレーションした結果、アイソレーションは２３．１０４［ｄＢ］、送信損失は０．３０１［ｄＢ］だった。
【００３０】
また、図７において、ダイオードＤ１のオン抵抗を１．２［Ω］，オン時のインダクタンス値を１．０［ｎＨ］とし、また伝送線路ＳＬ１の特性インピーダンスを５０［Ω］、抵抗Ｒ１を１５０［Ω］、コンデンサＣ５を３．８［ｐＦ］、Ｌ３−１およびＬ３−２を０．８［ｎＨ］、Ｌ２−１を０．４［ｎＨ］とした場合、ＤＣＳ送信周波数（１７１０−１７８５ＭＨｚ）でのＰ１（ＡＮＴ）からＰ３（Ｒｘ）へのアイソレーション及びＰ１（ＡＮＴ）からＰ２（Ｔｘ）への送信損失を回路シュミレーションした結果はアイソレーションは２５．２０２［ｄＢ］、送信損失は０．２３７［ｄＢ］だった。
【００３１】
ここで図７において、Ｌ３−１およびＬ３−２を０．４［ｎＨ］、Ｌ２−１を０．４［ｎＨ］とし、また共振周波数がＤＣＳ周波数帯にするためコンデンサＣ５を４．７［ｐＦ］にすると、ＤＣＳ送信周波数（１７１０−１７８５ＭＨｚ）のＰ１（ＡＮＴ）からＰ３（Ｒｘ）のアイソレーションは２５．３６５［ｄＢ］でり、Ｐ１（ＡＮＴ）からＰ２（Ｔｘ）への送信損失は０．２２９［ｄＢ］だった。
【００３２】
以上、図６、図７の結果より、従来例においてもビアホール導体Ｌ２、Ｌ２−１の長さが短いほうがアイソレーション及び送信損失の低下が少ないことがわかる。
【００３３】
上述の結果から本発明（図４）と従来例（図７）の比較では、Ｐ１（ＡＮＴ）からＰ３（Ｒｘ）へのアイソレーションは従来例が２３．１０４［ｄＢ］であるのに対して本発明では２７．４３１［ｄＢ］であり、４．３２７［ｄＢ］の改善がみられている。また、Ｐ１（ＡＮＴ）からＰ２（Ｔｘ）への送信損失は従来例が０．３０１［ｄＢ］であるのに対して本発明は０．１８２［ｄＢ］であり０．１１９［ｄＢ］の改善がみられている。
【００３４】
このことは従来例においては送信時において、受信端子への送信信号の漏洩のがありＰ１（ＡＮＴ）からＰ３（Ｒｘ）へのアイソレーション及びＰ１（ＡＮＴ）からＰ２（Ｔｘ）への送信損失の悪化につながっていることを意味している。具体的には本発明（図４）と従来例（図７）の第２スイッチ回路ＳＷ２を比較したときに従来例（図７）のコンデンサＣ５、抵抗Ｒ１、コイルＬ２による並列共振回路の共振抵抗の値よりも本発明（図４）のコンデンサＣ５、抵抗Ｒ１コイルＬ３−１、Ｌ３−２による並列共振回路の共振抵抗の値が小さくなるためである。即ちこのことは本発明（図４）の方が従来例（図７）より並列共振回路のＱが大きいことを意味している。
【００３５】
参考例として、本発明（図４）の回路において、Ｌ３−１、Ｌ３−２のみ変更し理想状態であるＬ３−１＝Ｌ３−２＝０［ｎＨ］（コンデンサＣ５及び抵抗Ｒ１がビアホール導体を介さず直接グランド電極パターンＧ２に接続された状態）とし場合は、ＤＣＳ送信周波数（１７１０−１７８５ＭＨｚ）でのＰ１（ＡＮＴ）からＰ３（Ｒｘ）へのアイソレーション及びＰ１（ＡＮＴ）からＰ２（Ｒｘ）への送信損失をシュミレーションした結果はアイソレーション２８．１５３［ｄＢ］、送信損失０．１７０［ｄＢ］であった。これより理想状態と本発明（Ｌ３−１＝Ｌ３−２＝０．８ｎＨの時）を比較すると、本発明はアイソレーションで０．６７２［ｄＢ］、送信損失で０．００１［ｄＢ］だけ低下している。
【００３６】
また、上述の理想状態Ｌ３−１＝Ｌ３−２＝０［ｎＨ］（コンデンサＣ５及び抵抗Ｒ１がビアホール導体を介さず直接グランド電極パターンＧ２に接続された状態）と従来例（図７）とを比較すると、従来例においてはアイソレーションで５．０４９［ｄＢ］、送信損失で０．１３７［ｄＢ］低下している。
【００３７】
以上、上述した回路シュミレーションの結果より、本発明（図４）においては、アイソレーション及び送信損失ともに理想状態に近い値であることがわかる。
【００３８】
尚、本発明は上述の実施形態に限定されるものではなく、本発明の要旨を逸脱しない範囲において種々の変更、改良等が可能である。
【００３９】
例えば、図５に示すように、ビアホール導体Ｌ３−１、Ｌ３−２をグランド電極パターンＧ１を介さず直接グランド端子Ｇ２に接続しても同様の効果が得られる。
【００４０】
また、上述の実施形態においては、本発明の送受信制御装置をＤＣＳ通信方式の通信機器に用いられる回路の一例として説明したが、他の時分割接続の通信方式、例えばＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）通信方式やＰＣＳ（Ｐｅｒｓｏｎａｌ  Ｃｏｍｍｕｎｉｃａｔｉｏｎ  Ｓｙｓｔｅｍ）通信方式の通信機器に用いられる回路として適用してもよいことは言うまでもない。
【００４１】
【発明の効果】
本発明の送受信制御装置によれば、受信時においては、スイッチングダイオードＤ１、Ｄ２をオフとし、アンテナ端子ＡＮＴから入力された受信信号は伝送線路ＳＬ１を介して受信端子Ｒｘにほとんど損失なく伝送される。
【００４２】
また、送信時においては、スイッチングダイオードＤ１、Ｄ２をオンとし、アンテナ端子から受信端子間の送信信号のλ／４の線路長をもつ伝送線路ＳＬ１がショートスタブとして働き、送信信号は受信側に漏れない。
【００４３】
ここでスイッチングダイオードＤ１とグランド電極パターンＧ１間にあるコンデンサＣ５からグランド電極パターンＧ１へのビアホール導体Ｌ３−１とスイッチングダイオードＤ１とグランド電極パターンＧ１間にある抵抗Ｒ１からグランド電極パターンＧ１へのビアホール導体Ｌ３−２とを相互に独立して形成しているため、送信周波数において、アンテナ端子ＡＮＴ−受信端子Ｒｘ間に接続される第２スイッチ回路ＳＷ２のスイッチングダイオードＤ１とコンデンサＣ５及び抵抗Ｒ１による並列共振回路による共振抵抗（受信端子Ｒｘ負荷側の合成インピーダンス（図３のＢ点））を小さくできる。特に、コンデンサＣ５、抵抗Ｒ１の一端は、従来回路基板上でスイッチングダイオードＤ１につながる共通電極パターンに接続され、他端は別の共通電極パターンに接続されたあとビアホール導体Ｌ２を経由してグランド電極パターンＧ１に落としていたが、本発明では、コンデンサＣ５、抵抗Ｒ１の他端のそれぞれの直下でグランド電極パターンＧ１に接続することにより共振抵抗を効果的にひき下げることができる。
【００４４】
そのため、送信信号のλ／４の線路長をもつ伝送線路ＳＬ１がいわゆるショートスタブとして機能することにより図３のＡ点から受信端子Ｒｘ側を見たとき高インピーダンスとなり受信端子Ｒｘから切り離された状態になる。
【００４５】
これにより送信時における送信信号のアンテナ端子ＡＮＴから受信端子Ｒｘへのアイソレーション及び送信端子Ｔｘから受信端子Ｒｘへのアイソレーションが極大になる。このため送信時のアンテナ端子ＡＮＴ−送信端子Ｔｘ間の送信損失を小さくすることが可能となる。
【００４６】
よって本発明の送受信制御装置は、アンテナ端子ＡＮＴ−受信端子Ｒｘ間に接続される第２スイッチ回路ＳＷ２のスイッチングダイオードＤ１とグランド電極パターンＧ１間にあるコンデンサＣ５からグランド電極パターンＧ１へのビアホール導体Ｌ３−１とスイッチングダイオードＤ１とグランド電極パターンＧ１間にある抵抗Ｒ１からグランド電極パターンＧ１へのビアホール導体Ｌ３−２とを相互に独立して形成することによって送信時のアンテナ端子ＡＮＴから受信端子Ｒｘへのアイソレーション及び送信端子Ｔｘから受信端子Ｒｘへのアイソレーションを大きくでき、かつ送信時のアンテナ端子ＡＮＴ−送信端子間Ｔｘの送信損失を小さくすることができる。
【図面の簡単な説明】
【図１】本発明の一実施形態に係る送受信制御装置の分解斜視図である。
【図２】本発明の送受信制御装置のブロックダイアグラムである。
【図３】本発明の送受信制御装置の等価回路図である。
【図４】本発明の送受信制御装置のアンテナ端子−受信端子間に接続される第２スイッチ回路の等価回路図である。
【図５】本発明の他の実施形態に係る送受信制御装置を示す分解斜視図である。
【図６】従来の送受信制御装置の分解斜視図である。
【図７】従来の送受信制御装置の等価回路図である。
【図８】従来の送受信制御装置のアンテナ端子−受信端子間に接続される第２スイッチ回路の変形例の等価回路図である。
【符号の説明】
ＡＮＴ・・・アンテナ端子
Ｔｘ・・・送信端子
Ｒｘ・・・受信端子
ＳＷ１・・・第１スイッチ回路
ＳＷ２・・・第２スイッチ回路
Ｖｃ・・・電圧制御端子
Ｇ１・・・グランド電極パターン
Ｇ２・・・グランド端子
Ｌ３−１、Ｌ３−２・・・ビアホール導体
ＳＬ１・・・伝送線路
ＬＰＦ・・・ローパスフィルタ
Ｃ１〜Ｃ５・・・コンデンサ
Ｄ１、Ｄ２・・・スイッチングダイオード
Ｒ１・・・抵抗
【図１】
2004260624.tif 000003
【図２】
2004260624.tif 000004
【図３】
2004260624.tif 000005
【図４】
2004260624.tif 000006
【図５】
2004260624.tif 000007
【図６】
2004260624.tif 000008
【図７】
2004260624.tif 000009
【図８】
2004260624.tif 000010